(57)【要約】【課題】低価格な印刷ヘッド及び印刷装置を提供することを課題とする。【解決手段】上記課題を達成するため本発明では、印刷装置に着脱可能であり、かつ宣伝効果のある画像データを格納した記憶素子を備える印刷ヘッドと、前記印刷ヘッドを用いて印刷する際、前記画像データを無条件で特定の領域に印刷する前記印刷装置を用いて宣伝する宣伝手段と、前記宣伝手段によって得られた宣伝費によって総合的なコストを下げることを特徴とする。【選択図】        図２
2004155122.tif 000002
【特許請求の範囲】
【請求項１】
印刷装置に着脱可能で記憶素子が備えられた印刷ヘッドと、前記記憶素子上のデータを読み取り前記印刷ヘッドで印刷可能なデータに変換し印刷を行うことが可能な印刷装置とを用いた宣伝方法であって、１枚の印刷が行われるごとに前記記憶素子内に格納される登録商標等が含まれた画像データを読み出し、無条件で特定の領域に印刷を行うことによって宣伝を行うことを特徴とする宣伝方法。
【請求項２】
請求項１記載の宣伝方法において、前記記憶素子は不揮発性メモリであることを特徴とする宣伝方法。
【請求項３】
請求項１記載の宣伝方法において、前記記憶素子はリードオンリーメモリであることを特徴とする宣伝方法。
【請求項４】
請求項１記載の宣伝方法において、前記記憶素子はリードオンリーメモリであることを特徴とする宣伝方法。
【請求項５】
請求項１記載の宣伝方法において、前記記憶素子内に格納されている前記画像データはＪＰＥＧ圧縮方式のデータであることを特徴とする宣伝方法。
【請求項６】
請求項１記載の宣伝方法において、前記記憶素子内に格納されている前記画像データはビットマップ方式のデータであることを特徴とする宣伝方法。
【請求項７】
請求項１記載の宣伝方法において、前記記憶素子上の前記画像データを前記印刷装置に読み込む方式はパラレル方式であることを特徴とする印刷装置。
【請求項８】
請求項１記載の宣伝方法において、前記記憶素子上の前記画像データを前記印刷装置に読み込む方式はシリアル方式であることを特徴とする印刷装置。
【請求項９】
請求項１記載の宣伝方法において、前記記憶素子上の前記画像データを印刷する前記特定の領域は印刷紙の大きさから決定されることを特徴とする印刷装置。
【発明の詳細な説明】
【０００１】
【発明の属する技術分野】
本発明は、印刷装置に着脱可能であり、かつ登録商標等が含まれる画像データを格納した記憶素子を備える印刷ヘッドと、該印刷ヘッドを用いて印刷する際、格納された画像データを無条件で特定の領域に印刷する前記印刷装置とを用いて宣伝する宣伝方法に関する。
【０００２】
【従来の技術】
近年、プロバイダサービスを利用してインターネットに接続するユーザに、宣伝バナーを無条件で閲覧してもらい、その見返りとしてユーザが利用するプロバイダサービスの料金を低く抑えるあるいは、無料にするというサービスを行うプロバイダが増加してきている。
【０００３】
これらのプロバイダは宣伝費を宣伝依頼元から受け取り、それによってプロバイダサービスにかかるコストを低減し、ユーザへ安いプロバイダサービスを提供している。
【０００４】
一方、インクジェットプリンタで使用するインクタンクや印刷ヘッドなど消耗品の値段は、劇的に変化することはなく今日まで続いている。これら消耗品の低価格化の要望は年々増えてきている。
【０００５】
【課題を解決するための手段】
本発明の印刷ヘッド及び印刷装置は上記課題を解決するために、着脱可能な印刷ヘッドに登録商標等が含まれた宣伝効果の在る画像データを保持した不揮発性メモリ等の記憶素子を備え、前記印刷ヘッドが装着された印刷装置にて印刷する際には無条件にこの画像データを印刷することをその概要とする。
【０００６】
【作用】
上記手段により、印刷ヘッドに付属する記憶素子内にバナ−画像を記憶し、その宣伝効果の在る画像を印刷することによって宣伝効果を得る宣伝方法に関する。
【０００７】
【発明の実施の形態】
［実施の形態］
図１は、本件において象徴的な１枚の印刷物の例である。印字部５０１はインターフェイスから取得した印字データが印刷されている部分である。印字部５０２は図２における印刷ヘッドに付属する保持部２０２に格納されている画像データが印刷されている部分である。
【０００８】
次に、本実施例において使用する印刷ヘッド及び印刷装置の記録制御を実行するための制御構成について説明する。図２はヘッドデータを記憶した保持部を内蔵する印刷ヘッドの回路構成例である。図２において、２００はヘッド本体、２０２は不揮発性メモリ等からなるのｎビットのデータ保持部であり、従来この保持部２０２には、印刷ヘッドの種類や、製造番号、印字特性などを示すヘッド固有データ（以下ヘッドデータと略）が格納されていた。例えば、プリンタ本体が印字速度を切り換えられる機能を有する場合、印刷ヘッドが対応できる印字速度のデータ、又は温度検知を行う機能を有する場合、プリンタ本体が印刷ヘッドの温度特性データ、ユーザに対して取り付けたヘッドの確認を行う機能を有する場合等に用いられる印刷ヘッドの種類を示すデータなどが格納される。本実施例ではこの保持部２０２にヘッドデータに加え、宣伝効果のある画像データを格納する。２０１はｎビットの並列入力直列出力のシフトレジスタ、２０６は印字データの受信回路および印字を実行するための印字装置部である。
【０００９】
２０４，２０５は保持部２０２が格納するデータを転送するための制御信号線、２０３はヘッドデータの出力信号線、２０７は印字データの入力信号、制御信号等の印字に関する信号線を示していて、これらの信号線２０３、２０４、２０５、２０７はすべてプリンタ本体の制御回路に接続されている。シフトレジスタ２０１は、プリンタ本体の制御回路から出力されるロード信号２０５の立ち上がりで、ヘッドデータ保持部２０２よりｎビットのデータを並列に読み取る。また、シフトレジスタ２０１は、クロック信号２０４の立ち上がりに同期して、出力信号線２０３にｎ番目、ｎ−１番目…と順に保持部２０２が格納するデータを出力し、このデータをプリンタ本体側の制御回路が読み取る。
【００１０】
図３は本実施例において使用する印刷装置の制御回路の構成を示すブロック図である。制御回路を示す同図において、３００は記録信号を入力するインターフェイス、３０１はＭＰＵ、３０２はＭＰＵ３０１が実行する制御プログラムを格納するプログラムＲＯＭ、３０３は各種データ（上記記録信号やヘッドに供給される画像データ等）を保存しておくダイナミック型のＲＡＭである。３０４は記録ヘッド３０８に対する画像データの供給制御を行うゲートアレイであり、インターフェイス３００、ＭＰＵ３０１、ＲＡＭ３０３間のデータ転送制御も行う。３１０は記録ヘッド３０８を搬送するためのキャリアモータ、３０９は記録紙搬送のための搬送モータである。３０５はヘッドを駆動するヘッドドライバ、３０６，３０７はそれぞれ搬送モータ３０９、キャリアモータ３１０を駆動するためのモータドライバである。
【００１１】
上記制御構成の動作を説明すると、インターフェイス３００に記録信号が入るとゲートアレイ３０４とＭＰＵ３０１との間で記録信号がプリント用の画像データに変換される。そして、モータドライバ３０６、３０７が駆動されると共に、ヘッドドライバ３０５に送られた画像データに従って印刷ヘッドが駆動され、印字が行われる。
【００１２】
図４は、図２における印刷ヘッドに付属する保持部２０２に格納されている画像データを印刷する度に印刷物上部に印刷するフローチャート図である。
【００１３】
図５は、本発明の実施例で使用するインクジェットプリンタＩＪＲＡの構成の概要を示す外観図である。図５において、駆動モータ５０１３の正逆回転に連動して駆動力伝達ギア５０１１，５００９を介して回転するリードスクリュー５００５の螺旋溝５００４に対して係合するキャリッジＨＣはピン（不図示）を有し、矢印ａ，ｂ方向に往復移動される。このキャリッジＨＣには、ＨＣに着脱可能なインクジェットカートリッジＩＪＣが搭載されている。５００２は紙押え板であり、キャリッジの移動方向に亙って紙をプラテン５０００に対して押圧する。５００７，５００８はフォトカプラで、キャリッジのレバー５００６のこの域での存在を確認して、モータ５０１３の回転方向切り換え等を行うためのホームポジション検知手段である。５０１６は記録ヘッドの前面をキャップするキャップ部材５０２２を支持する部材で、５０１５はこのキャップ内を吸引する吸引手段で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できることは言うまでもない。又、５０１２は、吸引回復の吸引を開始するためのレバーで、キャリッジと係合するカム５０２０の移動に伴って移動し、駆動モータからの駆動力がクラッチ切り換え等の公知の伝達手段で移動制御される。
【００１４】
これらのキャッピング、クリーニング、吸引回復は、キャリッジがホームポジション側の領域に来た時にリードスクリュー５００５の作用によってそれらの対応位置で所望の処理が行えるように構成されている。
【００１５】
【発明の効果】
本発明は上記手段により、印刷装置に着脱可能である印刷ヘッドに取り付けられた記憶素子宣伝効果のある画像データを格納し、その印字を印刷物が行われるたびに無条件に印字する印刷装置をもって宣伝し、宣伝依頼元から宣伝費を利益として受け取ることにより、印刷ヘッドにかかるコストを低減し、低価格な印刷ヘッドを提供できる。さらに、本発明における印刷ヘッドでは、宣伝効果のある画像データを記憶する記憶素子は、従来においてもヘッドの特性等を格納するため備えていた記憶素子を使用するため、新たに記憶素子からデータを読み取る論理回路を設計しなおす必要がほとんど無く、記憶素子の容量と、シフトレジスタを変更すれば実現できる。
【図面の簡単な説明】
【図１】本実施例における生成された印字物の例を示す図である。
【図２】本実施例における印刷装置の印刷ヘッド制御構成図である。
【図３】本実施例における印刷装置の制御構成図である。
【図４】本実施例における印字処理を示すフローチャート図である。
【図５】本実施例におけるプリンタの外観斜視図である。
【符号の説明】
２００  ヘッド本体
２０１  ｎビットの並列入力直列出力シフトレジスタ
２０２  ｎビットデータ保持部
２０３  ヘッドデータの出力信号線
２０４，２０５  制御信号線
２０６  印字データの受信回路および印字装置部
２０７  入力信号
３００  インターフェイス
３０１  ＭＰＵ
３０２  ＲＯＭ
３０３  ＤＲＡＭ
３０４  ゲートアレイ
３０５  ヘッドドライバ
３０６，３０７  モータドライバ
３０８  記録ヘッド
３０９  搬送モータ
３１０  キャリアモータ
ＩＪＲＡ  インクジェットプリンタ
５０１，５０２  印字部
【図１】
2004155122.tif 000003
【図２】
2004155122.tif 000004
【図３】
2004155122.tif 000005
【図４】
2004155122.tif 000006
【図５】
2004155122.tif 000007